(57)【要約】【課題】小径のレンズであっても，容易に製造でき，レンズホルダとの十分な接着強度が得られるレンズおよび組レンズを提供すること。【解決手段】本発明のレンズ１３は，有効部２０と，有効部２０の周囲に設けられるとともに，前後面の少なくとも一方が軸方向と交差する平面であるコバ部２１と，コバ部２１の周囲に設けられ，前後面の一方が軸方向と交差する平面であり，外側ほど薄いリブ部２２とを有する。また，本発明の組レンズ１０は，そのレンズ１３を他のレンズ１１，１２の一方の端に配置し，ともにレンズホルダ１４に組み付けてなるものである。【選択図】            図１
2005338206.tif 000002
【特許請求の範囲】
【請求項１】
有効部と，
前記有効部の周囲に設けられるとともに，前後面の少なくとも一方が軸方向と交差する平面であるコバ部と，
前記コバ部の周囲に設けられ，前後面の一方が軸方向と交差する平面であり，外側ほど薄いリブ部とを有することを特徴とするレンズ。
【請求項２】
請求項１に記載のレンズにおいて，
前記コバ部の周縁に，軸方向に平行な外側面が設けられており，
前記リブ部は，
その最大厚さが前記コバ部の厚さより小さく，
前記外側面を挟んで前記コバ部の平面の反対側に位置し，
前記コバ部の平面と反対側の面が平面であり，
その裏側の面が，外側ほど前記コバ部の平面から離れる斜面であることを特徴とするレンズ。
【請求項３】
２以上のレンズからなるレンズ列をレンズホルダに組み付けてなる組レンズにおいて，
少なくとも一方の端に位置するレンズが，
有効部と，
前記有効部の周囲に設けられるとともに，レンズ列の内側向きの面が軸方向と交差する平面であるコバ部と，
前記コバ部の周囲に設けられ，レンズ列の外側向きの面が軸方向と交差する平面であり，外側ほど薄いリブ部とを有し，
前記コバ部の周縁に，軸方向に平行な外側面が設けられており，
前記リブ部は，
その最大厚さが前記コバ部の厚さより小さく，
前記外側面よりレンズ列の外側に位置するものであることを特徴とする組レンズ。
【発明の詳細な説明】
【技術分野】
【０００１】
本発明は，カメラ等に使用されるレンズおよび複数枚のレンズが光軸方向に組み合わせられた組レンズに関する。さらに詳細には，各レンズのコバ部がレンズホルダに接着されることによって固定されているレンズおよび組レンズに関するものである。
【背景技術】
【０００２】
従来より，例えば樹脂製の光学レンズ等では，レンズをレンズホルダに接着剤で接着することにより固定している。様々な環境で使用される装置では特に，この接着が確実であることが要求される。そこで，レンズをレンズホルダに確実に接着するために，レンズの外周に突起部を設け，その突起部を覆って接着剤を塗布する技術が考案されている（例えば，特許文献１参照。）。
【０００３】
一方，複数枚の光学レンズが，所定の配置でレンズホルダに接着固定された組レンズがある。このような組レンズを固定する際には，接着剤が仮硬化するまでの間，一般にその端部に配置されるレンズをレンズホルダに向かって押圧保持する必要がある。そのため，上記の考案のように接着剤で覆うことは難しい。そこで，図５に示すように，端部のレンズのコバ部を外周方向に延長し，接着部と押圧部とを兼ねたものとしていた。
【特許文献１】特開平８−３１３７８１号公報（第４図）
【発明の開示】
【発明が解決しようとする課題】
【０００４】
しかしながら，前記した従来の組レンズを，さらに小径化した場合には，以下のような問題点があった。すなわち，嵌合径がさらに小径化されるため接着面積が減少し，接着強度が十分でなくなるおそれがあった。特に，近年の携帯機器では，耐衝撃性の要求は厳しく，さらなる接着強度の向上が要求されていた。
【０００５】
本発明は，前記した従来のレンズおよび組レンズが有する問題点を解決するためになされたものである。すなわちその課題とするところは，小径のレンズであっても，容易に製造でき，レンズホルダとの十分な接着強度が得られるレンズおよび組レンズを提供することにある。
【課題を解決するための手段】
【０００６】
この課題の解決を目的としてなされた本発明のレンズは，有効部と，有効部の周囲に設けられるとともに，前後面の少なくとも一方が軸方向と交差する平面であるコバ部と，コバ部の周囲に設けられ，前後面の一方が軸方向と交差する平面であり，外側ほど薄いリブ部とを有するものである。
【０００７】
本発明のレンズによれば，コバ部の周囲にリブ部が設けられている。そのため，このレンズをレンズホルダ内に挿入して接着した場合に，コバ部とレンズホルダとの間に注入される接着剤がリブ部にも接触するようにできる。従って，接着剤の接着面積が増加し，接着強度が上昇する。さらに，リブ部が外側ほど薄いので，金型からの抜き抵抗が小さくでき，安定して成型できる。これらのことから，小径のレンズであっても，容易に製造でき，レンズホルダとの十分な接着強度が得られるレンズとなっている。
【０００８】
さらに本発明では，コバ部の周縁に，軸方向に平行な外側面が設けられており，リブ部は，その最大厚さがコバ部の厚さより小さく，外側面を挟んでコバ部の平面の反対側に位置し，コバ部の平面と反対側の面が平面であり，その裏側の面が，外側ほどコバ部の平面から離れる斜面であることが望ましい。
【０００９】
このレンズが他のレンズと組み合わせてレンズホルダに取り付けられる場合，一般に，コバ部の外側面等においてレンズホルダに接着される。また，コバ部の平面側には，他のレンズのコバ部が配置されることになる。そこで，レンズがこのようになっていれば，リブ部の最大厚さがコバ部の厚さより小さいので，コバ部のうちリブ部以外の部分をレンズホルダに接着することができる。さらに，コバ部の平面と反対側の面が平面であるので，接着剤の仮硬化までの間，その平面側から押圧することができる。このようにすれば，このレンズのコバ部を他のレンズに押しつけることになり，レンズ有効部の変形や接着部のズレ等が防止される。さらに，リブ部の裏側の面が外側ほどコバ部の平面から離れるので，レンズホルダとリブ部との間に接着剤を注入するためのノズル等を挿入することも容易である。従って，このレンズを利用した組レンズを製造することは容易である。
【００１０】
また，本発明の組レンズは，２以上のレンズからなるレンズ列をレンズホルダに組み付けてなる組レンズであって，少なくとも一方の端に位置するレンズが，有効部と，有効部の周囲に設けられるとともに，レンズ列の内側向きの面が軸方向と交差する平面であるコバ部と，コバ部の周囲に設けられ，レンズ列の外側向きの面が軸方向と交差する平面であり，外側ほど薄いリブ部とを有し，コバ部の周縁に，軸方向に平行な外側面が設けられており，リブ部は，その最大厚さがコバ部の厚さより小さく，外側面よりレンズ列の外側に位置するものである。
【００１１】
本発明の組レンズによれば，少なくとも一方の端に位置するレンズが，上記のレンズの特徴を備えている。従って，小径のレンズを使用した組レンズであっても容易に製造できるとともに，レンズホルダとの十分な接着強度が得られるので強度の大きい組レンズとなっている。
【発明の効果】
【００１２】
本発明のレンズおよび組レンズによれば，小径のレンズであっても，容易に製造でき，レンズホルダとの十分な接着強度が得られる。
【発明を実施するための最良の形態】
【００１３】
以下，本発明を具体化した最良の形態について，添付図面を参照しつつ詳細に説明する。本形態は，携帯機器等に用いられる小径の組レンズに本発明を適用したものである。
【００１４】
本形態の組レンズ１０は，図１に示すように，３枚のレンズ１１，１２，１３が，略筒状のレンズホルダ１４に接着されて固定されたものである。図１中左方が被写体側であり，右方が撮像側である。以下では被写体側を前，撮像側を後と呼ぶ。
【００１５】
これらのレンズ１１〜１３のうち，最も前方に配置されているレンズ１１は，そのコバ部の前面と側面とがレンズホルダ１４に接している。そして，レンズ１１のコバ部後面とレンズ１２のコバ部前面とは互いに接して，それらの間隔を適切に保っている。図１では，レンズ１２のコバ部とレンズ１３のコバ部との間に隙間があるが，これらの間には通常，遮光板等の別部材が挟み込まれる。この組レンズ１０では，最も後方に配置されたレンズ１３に，その有効部２０の周囲にコバ部２１があり，さらにその外周にリブ部２２が設けられている。また，レンズ１３のコバ部２１およびリブ部２２とレンズホルダ１４との間には接着剤２３が注入されている。
【００１６】
次に，レンズ１３の形状について説明する。レンズ１３は，図２と図３とに示すように，中央の有効部２０と，略筒状のコバ部２１と，コバ部２１から外周方向へ突出した環状のリブ部２２とを有している。ここで，図２は，レンズ１３の前面側から見た斜視図であり，図３は，レンズ１３の後面側から見た斜視図である。有効部２０は，レンズ１３を有効光線が通過する範囲である。コバ部２１は，レンズ１３をレンズホルダ１４に取り付けるための部分であり，有効部２０の全周に沿ってほぼ均一の幅で形成されている。
【００１７】
レンズ１３では，図２と図３とに示すように，そのコバ部２１の外側面２１ａは，レンズ１３の軸方向に平行な円筒面である。また，コバ部２１の前面２１ｂは軸方向に垂直な平面である。一方，リブ部２２はコバ部２１より後面側に配置されている。リブ部２２の前面２２ａは外周へ向かって後方へ傾く円錐面である。また，リブ部２２の後面２２ｂは軸方向に垂直な平面からなっている。従って，リブ部２２の厚さは外側ほど薄く形成されている。また，図１に示すように，リブ部２２の最大厚さはコバ部２１の軸方向長さより小さい。
【００１８】
この組レンズ１０を製造する時には，まず，レンズ１１，１２をレンズホルダ１４に取り付ける。その後，レンズ１３をレンズホルダ１４に挿入し，図４に示すように，レンズホルダ１４の後面とリブ部２２との間に接着剤ノズル２４を近づけて接着剤２３を注入する。その結果，接着剤２３は，レンズホルダ１４の後面，コバ部２１の外側面２１ａ，リブ部２２の前面２２ａに付着して溜まった状態となる。すなわち，リブ部２２によって，従来のレンズ１０１に比較して接着剤２３の接着面積が増加している。これにより，レンズ１３の接着強度が上昇している。
【００１９】
このとき，リブ部２２の前面２２ａは，前述のように円錐面である。このため，前面２２ａとレンズホルダ１４の後面との間隔は，外周へ向かって次第に大きくなっている。従って，これらの間に接着剤ノズル２４の先端部を挿入することは容易であり，所定の位置に所定量の接着剤２３が容易に注入される。なお，接着剤２３は，必ずしも全周にわたって注入する必要はなく，適切な接着箇所に注入されればよい。
【００２０】
さらに，注入された接着剤２３が仮硬化するまで，接着部のズレ防止のために，図４に示すように，レンズ１３のリブ部２２の後面２２ｂに前向きの押圧力Ｆをかけておく。前述のように，レンズ１１とレンズ１２とはコバ部で互いに接しており，レンズ１２とレンズ１３とはコバ部の間に別部材を介して隣接している。これらのことから，レンズ１３のリブ部２２を前方へ押圧すれば，レンズ１２のコバ部を介してレンズ１１のコバ部がレンズホルダ１４に押しつけられる。ここで，リブ部２２の後面２２ｂは軸方向に垂直な面なので，押圧力Ｆは後面２２ｂに垂直な力とすればよい。このようにすれば，レンズ１３に斜め方向の力が加わることが無く，レンズ１１〜１３が歪むおそれはない。
【００２１】
この結果，このレンズ１３は，図１に示すように，そのリブ部２２より前方において，コバ部２１の外側面２１ａがレンズホルダ１４に接着される。すなわち，リブ部２２によって，レンズホルダ１４とレンズ１３との嵌合径が大きくなっているわけではない。さらに，組レンズ１０では，リブ部２２の前面２２ａとレンズホルダ１４の後面との間に，接着剤２３が溜められる。これにより，接着剤２３の接着面積が増加し，レンズホルダ１４とレンズ１３とが確実に接着固定されている。
【００２２】
さらに，レンズ１３のリブ部２２は，外周へ向かうほどその厚みが薄い形状である。このため，レンズ１３を樹脂成型する際の金型の抜き勾配を兼ねることができる。従って，従来のレンズ１０１に比較して金型の抜き抵抗が小さく，成形の安定性に優れたレンズ１３となっている。
【００２３】
以上詳細に説明したようにこの組レンズ１０によれば，最も後方に配置されるレンズ１３のコバ部２１の外周にリブ部２２が設けられたので，接着剤２３はレンズホルダ１４の後面とコバ部２１の外側面２１ａとリブ部２２の前面２２ａとに接着される。従って，接着面積が大きく，接着強度が大きい。さらに，リブ部２２の前面２２ａが，後方へ広がる円錐面状になっているので，レンズホルダ１４とリブ部２２との間に接着剤ノズル２４を挿入することは容易であるとともに，金型の抜き勾配を兼ねることができる。従って，小径レンズであっても，容易に製造でき，十分な接着強度が得られるレンズ１３および組レンズ１０となっている。
【００２４】
なお，本形態は単なる例示にすぎず，本発明を何ら限定するものではない。したがって本発明は当然に，その要旨を逸脱しない範囲内で種々の改良，変形が可能である。
例えば，上記の形態のレンズ１３では，そのコバ部２１の全周にリブ部２２が設けられているが，必ずしも全周になくても良い。適切な接着箇所と押圧箇所がともに確保できればよい。
また例えば，本形態の組レンズ１０では，最も後方のレンズ１３にリブ部２２が設けられているが，レンズホルダ１４の形状によっては，最も前方のレンズに適用することもできる。
また例えば，上記の形態のレンズ組１０に組み付けられるレンズの枚数や，各レンズ１１〜１３，レンズホルダ１４等の形状および配置は一例であり，これにこだわるものではない。
【図面の簡単な説明】
【００２５】
【図１】本形態の組レンズの概略形状を示す断面図である。
【図２】レンズの前面側の概略形状を示す斜視図である。
【図３】レンズの後面側の概略形状を示す斜視図である。
【図４】組レンズの製造時の状態を示す説明図である。
【図５】従来の組レンズの概略形状を示す断面図である。
【符号の説明】
【００２６】
１０  組レンズ
１１，１２，１３  レンズ
１４  レンズホルダ
２０  有効部
２１  コバ部
２２  リブ部
【図１】
2005338206.tif 000003
【図２】
2005338206.tif 000004
【図３】
2005338206.tif 000005
【図４】
2005338206.tif 000006
【図５】
2005338206.tif 000007